(57)【要約】【課題】本発明はフィルターカートリッジの交換時間を減らし、交換作業を易しくすることを目的とする。【解決手段】本発明の浄水器フィルターアセンブリーは、浄水器に装着されるマニホールド１００と、マニホールド１００の下部に形成され、スライド通路が形成されるとともに突出部２３０が下部に形成された円形キャップ２００と、円形キャップ２００に結合されるヘッド部３１０及びフィルターが内蔵されたフィルター部３２０を備えたフィルターカートリッジ３００と、ヘッド部３１０に形成されて、フィルターカートリッジ３００を円形キャップ２００に固定させる固定部材３１３と、円形キャップ２００の突出部２３０が挿入されてフィルター部３２０の上面部に形成されたガイド溝３３０とを含むことにより、フィルターカートリッジの結合及び分離が容易になる。【選択図】図３
2010504849.tif 000002
【特許請求の範囲】
【請求項１】
用水が流入される流入管路及び用水が排出される排出管路が形成され、前記流入管路に用水の流動を遮断する開閉バルブが備えられたマニホールドと、
前記流入管路及び前記排出管路と連結する円筒形空間が前記マニホールドの下部に形成され、その内周面には勾配部を有するスライド通路が形成され、底面には突出部が形成された円形キャップと、
前記流入管路から用水を受ける流入孔が形成され、前記排出管路に用水を排出する排出口が形成されたヘッド部、及び用水を浄化するフィルターが内部に配置され、前記円形キャップの円形空間に挿入されるフィルター部を含むフィルターカートリッジと、
前記フィルターカートリッジのヘッド部に形成され、前記円形キャップのスライド通路に挿入されることにより、前記フィルターカートリッジを前記円形キャップに固定させる固定部材と、
前記フィルターカートリッジのフィルター部の上面に沿って曲線状に形成され、前記円形キャップの突出部が挿入される溝状の、前記フィルターカートリッジの回転運動を前記突出部によって案内するガイド溝とを含むことを特徴とする浄水器フィルターアセンブリー。
【請求項２】
前記ヘッド部の流入孔が前記排出口の周りに環状に配置される多数の円形孔であることを特徴とする請求項１に記載の浄水器フィルターアセンブリー。
【請求項３】
前記フィルター部の底面が凹状に形成され、前記フィルターカートリッジの回転のための取っ手が形成されている特徴とする請求項１に記載の浄水器フィルターアセンブリー。
【請求項４】
前記ヘッド部の上面外周部に、前記マニホールドの開閉バルブを回転によって加圧して前記開閉バルブを開放させる曲線状溝が形成され、該曲線状溝が前記開閉バルブを加圧する回転方向に深さが次第に減少することを特徴とする請求項１に記載の浄水器フィルターアセンブリー。
【請求項５】
前記開閉バルブの下端部に、前記ヘッド部の曲線状溝に対する接触面積を減らす突起が形成されていることを特徴とする請求項４に記載の浄水器フィルターアセンブリー。
【請求項６】
前記円形キャップのスライド通路が、前記固定部材に接触して前記円形キャップの内周面下方に斜めに形成されることにより前記固定部材を前記円形キャップの下方に案内する曲面部に連結され、前記固定部材に前記曲面部と対面する傾斜面が形成されていることを特徴とする請求項１に記載の浄水器フィルターアセンブリー。
【発明の詳細な説明】
【技術分野】
【０００１】
本発明は浄水器フィルターアセンブリーに関するもので、より詳しくは浄水器にフィルターを連結するために、マニホールドにフィルターカートリッジを簡単に取り外し可能に連結できる構造を有する浄水器フィルターアセンブリーに関する。
一般に、浄水器は水道水や生水のような用水から異物を浄化して供給する浄水装置で、その内部には用水を多段階に浄化するフィルターカートリッジが備えられている。
そして、浄水器のフィルターカートリッジは入口と出口が備えており、用途によって、前処理浄水器フィルター、プレカーボン浄水器フィルター、メンブレイン浄水器フィルター及びポストカーボン浄水器フィルターなどが選択的に採用されている。
ここで、浄水器のフィルターカートリッジは、用水が流入される流入管路及び用水が排出される排出管路を有するマニホールドを含む。流入管路には、用水の流動を遮断する開閉バルブが備えられる。
すなわち、マニホールドの下部には、流入管路及び排出管路と連結される円筒形空間が形成され、内周面にはスライド通路が形成された円形キャップが形成される。フィルターカートリッジは、上部外周面に突設された固定部材が円形キャップのスライド通路に挿入されることで、円形キャップの円筒形空間に装着される。
【背景技術】
【０００２】
上述したように、フィルターカートリッジはマニホールドに連結されてフィルターアセンブリーを構成する。前記のような従来のフィルターアセンブリーは本出願人が出願して登録を受けた韓国特許第５２１１１７号に詳細に開示されている。
ここで、従来のフィルターアセンブリーは、フィルターカートリッジの固定部材が円形キャップのスライド通路にスライド移動して到逹するのに問題があった。
すなわち、使用者はフィルターカートリッジの固定部材を円形キャップのスライド通路に正確に挿入させるために、フィルターカートリッジを円形キャップの下でいろいろな方向に回転させながらフィルターカートリッジの位置を調節しなければならなかったので、フィルターカートリッジの交換時間が遅延され、素人はフィルターカートリッジを交換することが難しかった。
【先行技術文献】
【特許文献】
【０００３】
【特許文献１】韓国特許第５２１１１７号公報
【発明の概要】
【発明が解決しようとする課題】
【０００４】
本発明は前記従来技術の問題点を解決するためになされたもので、フィルターカートリッジの交換時間を減らし、交換作業を易しくすることを目的とする。
【課題を解決するための手段】
【０００５】
前記課題を解決するために、本発明の浄水器フィルターアセンブリーは、用水が流入される流入管路及び用水が排出される排出管路が形成され、前記流入管路に用水の流動を遮断する開閉バルブが備えられたマニホールドと、前記流入管路及び前記排出管路と連結する円筒形空間が前記マニホールドの下部に形成され、内周面には勾配部を有するスライド通路が形成され、底面には突出部が形成された円形キャップと、前記流入管路から用水を受ける流入孔が形成され、前記排出管路に用水を排出する排出口が形成されたヘッド部、及び用水を浄化するフィルターが内部に配置され、前記円形キャップの円形空間に挿入されるフィルター部を含むフィルターカートリッジと、前記フィルターカートリッジのヘッド部に形成され、前記円形キャップのスライド通路に挿入されることにより、前記フィルターカートリッジを前記円形キャップに固定させる固定部材と、前記フィルターカートリッジのフィルター部の上面に沿って曲線状に形成され、前記円形キャップの突出部が挿入される溝状の、前記フィルターカートリッジの回転運動を前記突出部によって案内するガイド溝とを含むことを特徴とする。
【発明の効果】
【０００６】
上述したように、本発明の浄水器フィルターアセンブリーは、円形キャップの下部に形成された突出部がフィルターカートリッジのガイド溝に拘束されるので、フィルターカートリッジが回転するとき、ガイド溝によって突出部が案内されることにより、フィルターカートリッジの固定部材が円形キャップのスライド通路に容易に挿入されるので、フィルターカートリッジの交換時間が減少し、素人であってもフィルターカートリッジを容易に交換することができる効果を得ることができる。
【図面の簡単な説明】
【０００７】
【図１】本発明の実施形態による浄水器フィルターアセンブリーの分解斜視図である。
【図２】本発明の実施形態による浄水器フィルターアセンブリーの部分斜視図である。
【図３】図２の断面図である。
【図４】図２の底面分解斜視図である。
【発明を実施するための形態】
【０００８】
以下、添付図面に基づいて本発明による浄水器フィルターアセンブリーの好適な実施形態を説明する。図面において、線の厚さまたは構成要素の大きさなどは説明の明瞭性及び便宜のために誇張して示すことができる。また、後述する用語は、本発明の機能を考慮して定義された用語であって、使用者、運用者の意図または慣例によって変わることができる。したがって、このような用語に対する定義は本明細書全般の内容に基づいて決まらなければならない。
また、下記の実施形態は本発明の権利範囲を限定するものではなく、ただ例示のために提示するものであり、本技術思想によって多様な実施形態が具現可能である。
【０００９】
図１は本発明の実施形態による浄水器フィルターアセンブリーの分解斜視図、図２は本発明の実施形態による浄水器フィルターアセンブリーの部分斜視図、図３は図２の断面図、図４は図２の底面分解斜視図である。
【００１０】
図示のように、本発明の実施形態による浄水器フィルターアセンブリーは、浄水器に装着されるマニホールド１００と、そのマニホールド１００の下部に形成されるもので、スライド通路２２０が形成され、突出部２３０が下部に形成された円形キャップ２００と、円形キャップ２００に結合されるヘッド部３１０及びフィルターを内蔵するフィルター部３２０を備えたフィルターカートリッジ３００と、ヘッド部３１０に形成されて、フィルターカートリッジ３００を円形キャップ２００に固定させる固定部材３１３と、円形キャップ２００の突出部２３０が挿入され、フィルター部３２０の上面部に形成されたガイド溝３３０とを含む。
ここで、マニホールド１００は、用水が流入される流入管路１１０及び用水が排出される排出管路１２０を含み、前記流入管路１１０には用水の流動を遮断する開閉バルブ１１１が備えられる。
【００１１】
そして、円形キャップ２００はマニホールド１００の下部に形成されるもので、流入管路１１０及び排出管路１２０と連結される円形空間２１０が形成され、その内周面には固定部材３１３がなめらかに案内されるように勾配部２２１を備えたスライド通路２２０が形成され、底面には突出部２３０が形成される。
フィルターカートリッジ３００は円形キャップ２００の円形空間２１０に挿入されるもので、流入管路１１０から用水を受ける流入孔３１１が形成され、排出管路１２０に用水を排出する排出口３１２が形成されたヘッド部３１０と、用水を浄化するフィルターが内部に配置されたフィルター部３２０とを含む。
【００１２】
ここで、固定部材３１３はフィルターカートリッジ３００のヘッド部３１０の外周面両側から正反対の相対する位置に突出しており、円形キャップ２００のスライド通路２２０に挿入されることにより、フィルターカートリッジ３００を円形キャップ２００に固定させる。
また、ガイド溝３３０はフィルターカートリッジ３００のフィルター部３２０の上面に沿って曲線状に形成され、円形キャップ２００の突出部２３０が挿入される溝形のもので、フィルターカートリッジ３００の回転運動を突出部２３０によって案内する。
【００１３】
上記ガイド溝３３０はフィルターカートリッジ３００の上面両側に形成されており、円形キャップ２００のフィルターカートリッジ３００のヘッド部３１０を円形キャップ２００の円形空間２１０に挿入する場合、円形キャップ２００の底面両側に形成された突出部２３０がガイド溝３３０の右側端に配置され、ガイド溝３３０はスライド通路２２０より左側に長く配置される。
すなわち、固定部材３１３がスライド通路２２０に挿着されるに先立ち、突出部２３０がガイド溝３３０に先に挿入されるので、フィルターカートリッジ３００を反時計方向に回転させる場合、突出部２３０はガイド溝３３０に拘束されてガイド溝３３０に沿って左側にスライド移動し、固定部材３１３が反時計方向に回転してスライド通路２２０に進入することにより、固定部材３１３はスライド通路２２０に挿着される。
【００１４】
この際、固定部材３１３の右側端部は、スライド通路２２０に進入してスライド通路２２０に沿ってスライド移動し易い傾斜面３１３ａに形成されており、左側端部はスライド通路から離脱し易い傾斜面３１３ａに形成される。
また、ヘッド部３１０の上面外周部には、マニホールド１００の開閉バルブ１１１を回転によって加圧して開放させる曲線状溝３１４が形成され、曲線状溝３１４は開閉バルブ１１１を上方に加圧する回転方向に深さが次第に減るように形成されることにより、開閉バルブ１１１を徐々に上部に加圧する溝状のカム機能をする。
【００１５】
ここで、開閉バルブ１１１の下端部には、ヘッド部３１０の曲線状溝３１４に対する接触面積を減らす突起１１１ａが形成される。突起１１１ａは曲線状溝３１４を形成する面部に接触して加圧される部分であって、フィルターカートリッジ３００の回転によってヘッド部３１０が回転する場合、開閉バルブ１１１と曲線状溝３１４の接触による摩擦力を減少させてフィルターカートリッジ３００の回転を容易にし、摩擦力による開閉バルブ１１１の変形も減少させる。
【００１６】
この際、フィルターカートリッジ３００のヘッド部３１０に形成された固定部材３１３が円形キャップ２００のスライド通路２２０に挿着されることにより、フィルターカートリッジ３００が円形キャップ２００に固定される。この際、フィルターカートリッジ３００の固定とともにマニホールド１００の流入管路１１０に備えられた開閉バルブ１１１が上方に移動して流入管路１１０が開放することにより、流入管路１１０を通じて用水がフィルターカートリッジ３００の流入孔３１１に提供され、用水は流入孔３１１に流入してフィルターによって浄化された後、排出口３１２を通じてマニホールド１００の排出管路１２０に流動する。
【００１７】
一方、ヘッド部３１０の流入孔３１１は排出口３１２の周りに環状に配置される多数の円形孔であり、フィルターカートリッジ３００の交換のために、フィルターカートリッジ３００を時計方向に回転させることで、ヘッド部３１０の固定部材３１３を円形キャップ２００のスライド通路２２０から離脱させてフィルターカートリッジ３００を円形キャップ２００から分離する場合、フィルターカートリッジ３００に収容された用水が流入孔３１１を通じて急に流出することを防止する。
【００１８】
すなわち、フィルターカートリッジ３００が円形キャップ２００に固定される場合、浄水器の用水が浄水器のポンプによって加圧されて提供され、用水はフィルターカートリッジ３００の内部で圧力を形成するので、フィルターカートリッジ３００が円形キャップ２００から分離されるとき、用水はフィルターカートリッジ３００の流入孔３１１を通じて排出される。この際、流入孔３１１が小面積の円形ホールの形態に多数配置されることにより、流入孔３１１を通じる用水の急激な排出が防止される。
【００１９】
そして、フィルター部３２０の底面は凹状に形成され、フィルターカートリッジ３００の回転のための取っ手３２１が形成されることにより、取っ手３２１を握ってフィルターカートリッジに回転力を提供することが容易であり、取っ手３２１の回転によってフィルターカートリッジ３００のヘッド部３２０は円形キャップ２００から容易に分離されることができる。
【００２０】
一方、円形キャップ２００のスライド通路２２０は、固定部材３１３に接触して円形キャップ３１３の内周面下方に斜めに形成されることにより固定部材３１３を円形キャップ２００の下方に案内する曲面部２４０に連結される。固定部材３１３には曲面部２４０と対面する傾斜面３１３ａが形成される。
ここで、固定部材３１３はフィルターカートリッジ３００の反時計方向回転によってスライド通路２２０から離脱する。この際、スライド通路２２０は曲面部２４０に連結されているので、固定部材３１３は曲面部２４０の傾斜方向に沿ってなめらかにスライド移動する。
【００２１】
すなわち、フィルターカートリッジ３００は流入孔３１１に提供される用水の圧力を受け、ヘッド部３１０は用水の圧力によって円形キャップ２００の外部に離脱させる圧力を受けることになるので、フィルターカートリッジ３００の回転によってスライド通路２２０から離脱する固定部材３１３は用水の圧力によって曲面部２４０に沿ってスライド移動し、フィルターカートリッジ３００は簡単に円形キャップ２００の外部に分離可能である。
【符号の説明】
【００２２】
１００：マニホールド                    
１１０：流入管路
１１１：開閉バルブ               
１１１ａ：突起
１２０：排出管路                 
２００：円形キャップ
２１０：円形空間                 
２２０：スライド通路
２２１：勾配部                   
２３０：突出部
２４０：曲面部                   
３００：フィルターカートリッジ
３１０：ヘッド部                 
３２０：フィルター部
３１１：流入孔                   
３１２：排出口
３１３：固定部材                 
３１３ａ：傾斜面
３１４：曲線状溝
３２０：フィルター部                    
３２１：取っ手
３３０：ガイド溝
【図１】
2010504849.tif 000003
【図２】
2010504849.tif 000004
【図３】
2010504849.tif 000005
【図４】
2010504849.tif 000006
【国際調査報告】
2010504849.tif 000007
2010504849.tif 000008